(57)【要約】【課題】従来の梱包箱の殆どが、組立て接着加工するテーパー式立体形状のためストック場所が増大する。また、物品収納後も組立て係留固定など作業が煩雑で、開閉部が上部１箇所なので食品の出し入れが困難であり、特許文献４の食品皿に用いる説明で折出し部接着の取外しと折り戻しは、紙製基材に残る強い折癖で困難となる。【解決手段】本発明は、１枚のシート材Aを糊付けせずに、図２の状態から開き、底面部４に物品Bを置き包むように把手部１を打ち合わせ、四方の等角境界外折目線９aを内折りしながら第２側壁部５を９０度起立させ、把手止め穴付壁部８を外折りした把手止め穴８bに把手掛り切り欠き１bを嵌め込む一連の作業で包装と組立ができ、開口時には物品Bを真上、四方向から取出しができる食品収納箱及び調理用容器、さらに、皿と深皿の機能を持つ持帰り梱包箱とした。【選択図】 図１
2010285198.tif 000002
【特許請求の範囲】
【請求項１】
１枚のシート材（A）に糊付け加工を施さず、折り曲げて構成される食品収納箱及び調理用容器の機能を持つ持帰り梱包箱であって、
正方形の底面部（４）と、その底面部（４）の一方の相対向する二辺から起立する一対の第１側壁部（３）と、前記の底面部（４）の他方の相対向する二辺から起立する一対の第２側壁部（５）と、隣り合う前記第１側壁部（３）と第２側壁部（５）間に設けられ、前記底面部（４）の隅角部から直線状に延びた等角境界外折目線（９a）によって、折り重ねられる四隅折返し部侵入止め付壁部（６）と四隅折返し部（７）と、
前記第１側壁部（３）の外側に連接され、境界内折目線（２a）によって内側に折曲げられ、天蓋となる一対の半天蓋（２）と、
前記半天蓋（２）の外側に連接され、境界内折目線（１a）によって外側に折曲げられ、半天蓋（２）の中央部が円弧形状に把手部切り目（２b）より切り放たれ、互いに重なり合い、相対向する一対の把手部（１）が打ち合わされ、該把手部（１）の両端に把手掛りきり欠き（１b）と穴掛り止め部（１c）を有する係留部と、
前記第２側壁部（５）の外側に連接され、境界内折目線（５a）によって外側に折曲げられ、把手止め穴付壁部（８）と、係止部となる把手止め穴（８b）と、把手平置き用切り目（８c）を有する紙製シート材Aを底面部（４）と相対向する第１側壁部（３）との境界内折目線（３a）の二辺と、第１側壁部（３）と半天蓋（２）との境界内折目線（２a）二辺と、半天蓋（２）と把手部（１）との境界外折目線（１a）の二辺を順次に折り曲げ、相対向する一対の把手部（１）を打ち合わせた後、前記等角境界外折目線（９a）によって、四隅折返し部侵入止め付壁部（６）と四隅折返し部（７）を折りながら、相対向する第２側壁部（５）と把手止め穴付壁部（８）を起立させ、天蓋となる一対の半天面（２）の切断面で前記四隅折返し部侵入止め付壁部（６）の上部に施した四隅折返し部侵入止め突出部（６b）が、四隅折り返し部（６）、（７）の箱内部への侵入阻止と、
前記に打ち合わせた把手部（１）の把手掛りきり欠き部（１b）と穴掛り止め部（１c）を係受部となる把手止め穴（８b）に嵌め込むことにより接着加工を施さず係留固定することを特徴とした持帰り梱包箱。
【請求項２】
前記一対の把手部（１）の両係止部である穴掛り止め部（１b）を一対の四隅折返し部の突出部（６b）に係留し、深皿形状に固定したことを特徴とする請求項１に記載の持帰り梱包箱。
【請求項３】
前記持帰り梱包箱の、一対の把手止め穴付き部（８）に施した一対の把手平置き用切り目（８c）を外側又は内側に折り、打ち合わせた前記一対の把手部（１）を横に90度倒すことで、前記梱包箱（A）を積み重ね可能としたことを特徴とする請求項１又は２項に記載の持帰り梱包箱。
【請求項４】
前記１枚のシート材（A）としては、天然材質系のシート、植物系プラスチックのシート、植物系プラスチックの発泡シート、石油系プラスチックのシート、石油系プラスチックの発泡シート、植物系プラスチクと石油系プラスチックを混合したシート、植物系プラスチックと石油系プラスチックを混合した発泡シートのいずれかの１つから選択されたシート材又は前記で選択されたシート材に植物系プラスチックのフイルム、石油系プラスチックのフイルム、植物系プラスチックのフイルムと石油系プラスチックのフイルムを積層したフイルム、植物系プラスチック素材と石油系プラスチック素材を混合したフイルム、のいずれか１つから選択されたフイルムが積層されたシート材（A）であることを特徴とした請求項１〜３のいずれか１項に記載の持帰り梱包箱。
【請求項５】
前記のいずれか１枚のシート材（A）を用いることで、耐水性及び／又は耐油性及び／又は耐熱性、加えて、電子レンジ調理ができることを特徴とした請求項１〜４のいずれか１項に記載の持帰り梱包箱。
【発明の詳細な説明】
【技術分野】
【０００１】
本発明は、１枚のシート材に接着加工を施さず、物品を包装しながら組立てて係留固定する構成とした梱包箱であり、さらには、熱湯や水を注いで作る食品の調理用容器又は、揚物類の収納もしくは、電子レンジ調理に適した食品の調理用容器及び、皿又は深皿の機能を有する持ち帰り梱包箱に関するものである。
【背景技術】
【０００２】
従来より、１枚の紙製シート材より組み立てられて、四隅部の折出し部及び折返し部を折重ねて用いる容器として種々のものが公開されている。
【０００３】
例えば、図１８に示す容器は、基本的な形態であるが、１枚の紙製シート材の四隅部の折出し部a１を側壁部a２外部側に折り込んで接着したものである。
【０００４】
また、図１９に示す容器は、１枚の紙製シート材の四隅部の折返し部b１を側壁部内部側に折り込んで容器を形成するとともに、この容器の相対向する側壁上端部に羽根部b２を設け、この羽根部を容器の形状に沿うように内側に折り込んで四隅の折込み部b１を覆い、折込み部の反発を押さえた容器としている。
【０００５】
また、特許文献１には、図２０に示す容器が開示されているが、本容器においては１枚の紙製シート材の四隅部の折出し部c１を側壁部c２外部側に左右対称に折り込むとともに、側壁部c２に連設された係止部c３を側壁部c２と折出し部c１の間に挿入することにより、組み立てるものである。
【０００６】
また、特許文献２には、図２１に示される容器が開示されているが、本容器は折出し部d１を重ねるとともに、これらを係止部材d２で固定し、保形性を高めるというものが開示されている。
【０００７】
さらに、特許文献３には、図２２に示される容器が開示されている。本容器は食品の電子レンジ調理にも利用できることが記載されているが、接着材の使用を避けるために、折出し部の一方に、マスク領域e１を設け、他方の折出し部に切り欠き部e２を設け、マスク領域を他方の折出し部の内面に加熱シールにより固着させる方法が開示されている。
【０００８】
特許文献４には、図２３に示される容器が開示されている。本容器は四隅の折曲げ部f１を外部に折って側壁に接着した折返し部f４に、側壁f２の延長面f５を外側に折り返し、把手部f６又は把手切り欠き片f７を、その折返し部f４に挟み込み固定する構成である。また、食品加熱後に天面f８を開きテーパー形状の容器とするか、外側に折込んだ折返し部f４の接着部を解除し全開した後に四隅の折曲げ部f１を内側に折り直して曲げ、箱をプレート状にする構成が開示されている。
【０００９】
さらに、特許文献５のケーキ箱は、図２４示される収納箱が開示されている。予め折畳んだ状態から相対する把手部g５を内側に押込むことで、把手部に連接する両蓋面g４と側壁g２が四隅角部g９、g１０から直線状に延びた等角内折目線g１１によって内側に折り重ねられるとともに箱を起き上げ、次に、片方の把手部g５の両先端切り欠きg１に、側壁g３に連接する把手掛け面g６の掛り穴に一時的に係留し、ケーキを納められる形状に組み立てて収納し、前述の一時的に係留した把手部g５を取外した後に、両方の把手部g５を打ち合わせて、前述のように、把手部両端g１を側壁g３と四隅角部g９、g１０から直線状に延びた等角内折目線g１１によって折り重ねられ連接する把手掛け面g６の掛り穴に係留し、固定する構成が開示されている。
【先行技術文献】
【特許文献】
【００１０】
【特許文献１】実開昭５２-６７５３５号  公報
【特許文献２】実開昭６０-８９１２０号  公報
【特許文献３】特開２０００-２３８７４８号  公報
【特許文献４】特開２００８-６８８８５号  公報
【特許文献５】特開２００５-１１９７１５号  公報
【発明の概要】
【発明が解決しようとする課題】
【００１１】
しかしながら、従来の紙製容器においては以下のような問題がある。
【００１２】
例えば、図１８に示した様な梱包箱においては、折返し部a１の外側を側壁部a２に接着することが必要となるが、折返し部a１の外面が側壁部a２と接着していても、折返し部の内面が接着されていないため、一方の側壁部a２を手で持つ等により内側に圧力を加えると側壁部a２が揺動し不安定となり、さらには、包装梱包箱として使用するには、開口部を塞ぐ別の蓋部材が必要となるという問題があった。
【００１３】
また、前記折返し部a１の外面が側壁部a２と接着していても、折返し部の内面が接着されていないため、一方の側壁部a２を手で持つ等により内側に圧力を加えると側壁部a２が揺動し不安定となるために折返し部a１の外側と折返し部の内面の両方を接着する方法もあるが、内面に余分な接着剤が必要となる。また、容器には食品等の袋体等を収納しておき、本容器を喫食用の容器としても使用する場合、直接に食品が容器内面に触れるため、内面をプラスチック等によりラミネートすることも多い。この場合は折返し部内面もラミネートを施した面となるため、外面に比べ接着剤により接着し難い場合がある。
【００１４】
さらに、電子レンジ調理可能な容器の様な場合においては、内面を例えば、耐熱性のプラスチックであるポリブチレンテレフタレート等によってラミネートするため、接着剤により貼着することがより困難になる。加えて、もし接着剤を使用した場合でも接着剤が溶けて加熱中にトレイ内に収容されている食品を汚染する可能性も否定できない。
【００１５】
次に、図１９に示した様な場合においては、側壁部を固定することはできるが、羽根部b２が大きいため取り扱いにくく、また、羽根部b２と底面との接着が不十分であると、液状食品等を収納した場合に、羽根部と底面との隙間から液体が入り込み、食品のロスを生じ、さらには、底面に倒したシート材の切断面から液体がしみ込み、箱の強度を損ねる問題がある。
【００１６】
さらに、図２０に示した様な場合についての容器は、本来、組み立て時に、折返し部c１を側壁部c２に接着しない場合を想定しているものであり、折返し部c１の外側を側壁部c２に接着してしまうと係止部c３を側壁部と折返し部c１の間に挿入することは困難になるという問題がある。
【００１７】
また、図１８、図１９に示す、従来の梱包箱では、効果として側壁部と折返し部が固定されることになるが、図２１の発明では、折返し部d１を貫通する係止部材d２が別途必要であるという難点がある。また、図２２の発明では、加熱シールにより固着するマスク領域e１が折返し部の一部に過ぎないため、固着力が十分でなくシール後に折返し部同士のシールが剥がれてしまうおそれもある。
【００１８】
このように、図１８から図２３に示される背景技術の殆どが、側壁部の揺動を抑え固定させてた容器であり、四隅の折返し部を接着固定するか、四隅の折返し部に出来た隙間に爪片を挿入して固定するか、もしくは、折込んだ四隅部を挟んで固定する等の手段、方法を使った構成が殆どであるため、収納物を箱に詰め込む場合も、収納口が固定された上部一ケ所であるため詰め込む食品によっては、収納が困難となり、物品の取出しにおいても箱には深さがあることで、底部にある収納物の取り出しが困難であるとともに箱の組立作業及び接着作業が煩雑となる。さらに、前記に示した容器形態の殆どが、テーパー形状に固定し、箱を重ね置きしなければならないため、収納及び運搬スペースを増大させる問題がある。また、図２３においては、箱の外側に折曲げ接着した四隅の折出し部f４をすべて取外し、梱包箱を全開した後に、折出し部f４を内側に折り戻して皿の形状として用いると、特許文献４には、開示してあるが、使用者が食品を入れたまま、折返して接着された四ケ所を取外し、紙製シートに付いた強力な折癖f１とf１２を逆方向に折戻す作業をしなければ使用できないという問題がある。
【００１９】
さらに、図２４に示される箱は、ケーキ箱の収納を重視した構成であるが、ケーキを収納するために片方の把手部g５を一度係留固定し、ケーキ収納後に前述で係留した把手部g５を一度取外し、再度、両方の把手部g５を打ち合わせて、係留固定しなければならないことは、煩雑で無駄な手間を強いられる問題がある。また、折畳んだ状態の内折目線g１４とg１２は、どちらも反発し合う内折目線となるにも関わらず、側壁部g２を立ち起こし、内折目線g１４とg１２を同時に折曲げて起立させると特許文献５に開示されているが、折畳んだ状態の折目線g１４とg１２は、前述のように折目が相反するため、定められた方向に折れないことと、折癖の付いていない四隅の折返し部g１１がどこの側壁部g２側もしくは側壁部g３側に折れ曲がるか疑問であり、さらには、折り返し部g１１が内部に突出する可能性があるため、突出部が収納したケーキに損傷を与えるという問題もある。
【００２０】
そこで、本発明は、上記の不都合を解消し、１枚のシート材Aに接着加工を施さず、物品を包装しながら一連の作業で組立てて係留固定する構成とした、食品収納箱及び調理用容器、さらには、皿又は深皿の機能を有する持帰り梱包箱を開発することを課題とした。
【課題を解決するための手段】
【００２１】
１枚のシート材Aに接着加工を施さず、折り曲げて構成される食品収納箱及び調理用容器の機能を有する持帰り梱包箱であって、
正方形の底面部４と、その底面部４の一方の相対向する二辺から起立する一対の第１側壁部３と、前記の底面部４の他方の相対向する二辺から起立する一対の第２側壁部５と、隣り合う前記第１側壁部３と第２側壁部５間に設けられ、前記底面部４の隅角部から直線状に延びた等角境界外折目線９aによって、折り重ねられる四隅折返し部侵入止め付壁部６と四隅折返し部７と、
前記第１側壁部３の外側に連接され、境界内折目線２aによって内側に折曲げられ、天蓋となる一対の半天蓋２と、
前記半天蓋２の外側に連接され、境界内折目線１aによって外側に折曲げられ、半天蓋２の中央部が円弧形状に把手部切り目２bより切り放たれ、互いに重なり合い、相対向する一対の把手部１が打ち合わされ、該把手部１の両端に把手掛りきり欠き１bと穴掛り止め部１cを有する係留部と、
前記第２側壁部５の外側に連接され、境界内折目線５aによって外側に折曲げられ、把手止め穴付壁部８と、係止部となる把手止め穴８bと、把手平置き用切り目８cを有するシート材Aを底面部４と相対向する第１側壁部３との境界内折目線３aの二辺と、第１側壁部３と半天蓋２との境界内折目線２a二辺と、半天蓋２と把手部１との境界外折目線１aの二辺を順次に折り曲げ、相対向する一対の把手部１を打ち合わせた後、前記等角境界外折目線９aによって、四隅折返し部侵入止め付壁部６と四隅折返し部７を折りながら、相対向する第２側壁部５と把手止め穴付壁部８を起立させ、天蓋となる一対の半天面２の切断面で前記四隅折返し部侵入止め付壁部６の上部に施した四隅折返し部侵入止め突出部６bが、四隅折り返し部６、７の箱内部への侵入阻止と、
前記に打ち合わせた把手部１の把手掛りきり欠き部１bと穴掛り止め部１cを係受部となる把手止め穴８bに嵌め込むことにより接着加工を施さず係留固定する構成の持帰り梱包箱である。
【００２２】
前記一対の把手部１の両係止部である穴掛り止め部１bを一対の四隅折返し部の突出部６bに係留固定することで深皿形状とする持帰り梱包箱としても良い。
【００２３】
さらに、前記持帰り梱包箱の、一対の把手止め穴付き部８に施した一対の把手平置き用切り目８cを外側又は内側に折り、打ち合わせた前記一対の把手部１を横に90度倒すことで、前記梱包箱Aを積み重ねができる持帰り梱包箱としても良い。
【００２４】
なお、前記１枚のシート材（A）としては、天然材質系のシート、植物系プラスチックのシート、植物系プラスチックの発泡シート、石油系プラスチックのシート、石油系プラスチックの発泡シート、植物系プラスチックと石油系プラスチックを混合したシート、植物系プラスチックと石油系プラスチックを混合した発泡シートのいずれかの１つから選択されたシート材又は前記で選択されたシート材に植物系プラスチックのフイルム、石油系プラスチックのフイルム、植物系プラスチックのフイルムと石油系プラスチックのフイルムを積層したフイルム、植物系プラスチック素材と石油系プラスチック素材を混合したフイルム、のいずれか１つから選択されたフイルムが積層された１枚のシート材（A）である。そして、前記のいずれかのシート材を用いることで、耐水性及び／又は耐油性及び／又は耐熱性、加えて、電子レンジ調理ができる食品収納箱及び調理用容器、さらに、皿と深皿の機能を持った持帰り梱包箱としても良い。
【発明の効果】
【００２５】
本発明の構成を採用することにより例えば、天然材質系のボール紙の内面に石油系プラスチックのフイルムである耐水性のポリプロピレン（PP）を積層した１枚のシート材Aを用いることで、箱内に小包装した生麺等とスープ又は具材を同梱した販売用持帰り箱とし、請求項２で示す深皿状態にセットした梱包箱の中に、生素麺を挿入し、スープ又は具材を混ぜ合せ、もしくは、水を注ぐことで調理容器又は食器として用いることができる持帰り梱包箱であり、接着加工を施さず、組み立てながら係留固定し、側壁部の揺動を抑止できる持帰り梱包箱が得られる。
【００２６】
また、１枚のシート材Aを天然材質系の基材である薄口段ボールの内面に石油系プラスチックのフイルムである耐熱性のポリブチレンテレフターレ（PBT）を積層することで例えば、フライドチキンのような揚げ物類の高温処理食品を納めて用いる持帰り梱包箱とするとともに、箱詰めのまま、もしくは、請求項２で示すような深皿形状にセットし、そのまま電子レンジで加熱することで、他の食器に移すことなく用いることができる。
【００２７】
さらに、１枚のシート材Aを天然材質系の基材を用いることで例えば、ケーキ類又は焼菓子類の持帰り梱包箱として用い、図１０で示すような皿の形状に全開することで、収納物を真上又は四方向から取出すことができる。
【００２８】
また、図２で示すような形状に折畳むことで、外出時に用いるバックの中に納め、外食時の食べ残しや料理の持帰り箱（ドギーバック）として用いることができる。
【図面の簡単な説明】
【００２９】
【図１】本発明の実施例となる梱包箱の展開図
【図２】本発明の実施例となる梱包箱を折畳んだ平面図
【図３】前記の折畳んだ梱包箱を開いた状態と、底面部に物品をのせた状態の斜視図
【図４】底面部に物品をのせ両方の把手部を打ち合わせた包装状態を示す梱包箱の正面斜視図
【図５】左方の折返し部の四隅折返し部を内折りした状態の梱包箱の正面斜視図
【図６】第２側壁部の左方を折畳んで係留し、相対面の第２側壁部から物品を収納する状態の斜視図
【図７】右方の折返し部の四隅折返し部を折畳んだ状態の梱包箱の正面斜視図
【図８】右方の第２側壁部の係留する把手止め穴付き部を外側に開いた状態の梱包箱の斜視図
【図９】本発明の実施例となる梱包箱の包装組立てを完了した斜視図
【図１０】本発明の実施例となる梱包箱の係留部を外した全開状態と、物品の状態を示す斜視図
【図１１】梱包箱を全開し、片方の両把手掛り切り欠を両四隅折返し部の突出部に係留した状態と物品の状態を示す斜視図
【図１２】梱包箱を全開し、両方の両把手掛り切り欠を両四隅折返し部の突出部に係留した状態と、物品の状態を示す斜視図
【図１３】梱包箱の組立て完了後の相対面の把手平置き用切り目を内側に倒した状態の斜視図
【図１４】梱包箱の組立て完了後に打ち合わせた把手部を横に９０度倒した状態の斜視図
【図１５】組立てた梱包箱の下段を把手部を倒して梱包箱を２段に積み重ねた斜視図
【図１６】本発明の他の実施例となるテーパー形状の梱包箱の斜視図
【図１７】本発明の他の実施例となる台形状の梱包箱の斜視図
【図１８】従来の梱包箱の斜視図
【図１９】従来の梱包箱の斜視図
【図２０】従来技術の特許文献１に記載の梱包箱の斜視図
【図２１】従来技術の特許文献２に記載の梱包箱の斜視図
【図２２】従来技術の特許文献３に記載の梱包箱の斜視図
【図２３】従来技術の特許文献４に記載の梱包箱の斜視図
【図２４】従来技術の特許文献５に記載のケーキ箱の斜視図
【発明を実施するための形態】
【００３０】
本発明は、１枚のシート材を接着加工を施さず、食品収納箱及び調理用容器、さらに、皿又は、深皿の機能を有した持帰り梱包箱である。以下、これらの形状及び使用に適応するシート材を合せ、詳細に説明する。
【実施例１】
【００３１】
梱包箱を展開すると図１に示されているように、１枚のシート材Aは、正方形又は長方形状の底面部４の四方に一対の境界内折目線３a、５aを有する第１側壁部３と第２側壁部５が設けられ、第１側壁部３と第２側壁部５の間には、四隅の境界内折目線６a又は７aを共有する折返し部６、７が設けられる。第１側壁部３から境界内折目線２aを共有して連接された半天蓋２と境界外折目線１aと把手部切り目２bを共有して連接された把手部１が設けられている。また、第２側壁部５から境界外折目線８aを共有して連接された把手止め穴付き部８に把手止め穴８bと把手平置き用切り目８cが設けられている。
【００３２】
図２は、１枚のシート材Aの第１側壁部３と半天蓋２の両方の境界内折目線２aから内側に折畳み、さらに、底面部４と第１側壁部３の境界内折目線３aと両側に隣接する第２側壁部５と四隅折返し部７の境界内折目線７aを同時に折畳み、相対する面を同じ様に折畳んだ状態から、図３に示すように、シート材Aの第１側壁部３と半天蓋２の境界内折目線２aが折れた状態のまま物品Bを底面部４の上に置き、半天蓋２と把手部１の両方の境界外折目線１aを外側に９０度折曲げ、図４で示すように、半天蓋２の把手部切り目２bで切り放された円弧部が互いに重ね合わさるように両方の把手部１を打ち合わせ、図５で示すように、左方の四隅折返し部の等角境界内折目線９aの両方を内側へ折込みながら、第２側壁部５を境界内折目線５aから折曲げ起立させることで、四隅折返し部７と四隅折返し侵入止め付壁部６と第２側壁部５及び隣接する把手止め穴付き部８とが三重に折り重なり、
図６で示すように四隅折返し部の突出部６cが、先に打ち合わせて留まった半天蓋２の切断面２cに当り、留まることで、四隅折返し部６、７の箱内への侵入を阻止する。なお、四隅折返し部の内部侵入止め突出部６cが、図６で示す様に把手止め穴付き部８の高さよりも低い高さであり、好ましくは、四隅折返し部の内部侵入止め突出部６cの高さは８ｍｍ以上、１５ｍｍ以下の範囲であれば良い。
図７、８で示すように、第２側壁部５と把手止め穴付き部８を境界外折目線８aから外側に折り、把手部１の両端に施した把手掛り切り欠き部１bを把手止め穴付き部８の把手止め穴８bに嵌め込み係留固定することで、図９で示すように、容易な作業で持帰り梱包箱を完成させることができる。
【実施例２】
【００３３】
次に、本発明の持帰り梱包箱への物品収納と梱包箱形状についてを詳細に説明する。
本発明においては、持帰り梱包箱内への物品収納は、図３に示すように、図２の形状から開き、両方の第１側壁部３と半天蓋２は、境界内折目線２aで折畳まれたままの状態に物品Bを底面部４に置き、前記のような包装手順で梱包するか又は、図６で示すように一方の第２側壁部５を起立させ打ち合わせた把手部１の把手掛り切り欠き部１bを把手止め穴８bに嵌め込み係留固定し、もう一方の開閉口から物品Bを収納でき、物品形状に合せた収納の選択ができる。
【００３４】
また、本発明においては、図１３で示すように把手止め穴付き部８の把手平置き用切り目８cを内側に折曲げ、図１４で示すように打ち合わせた把手部１を横に９０度倒すことで、持帰り梱包箱の積重ね（上積み）ができ、さらには、前述の外に突出した把手部１の係留部両先端を下に折り曲げ、把手止め穴付き部８と、四隅折返し侵入止め付き壁部６を内側に折曲げ、箱外突出部を無くすことで、シュリンク包装を可能とし、持帰り形状とは別の運搬、陳列販売ができる。
【００３５】
また、本発明においては、図１６、１７で示すように相対する第１側壁部３の形状を台形や逆台形状とし、前述に合わせて四隅折返し壁部６、７との四隅折返し部の等角境界内折目線９aの４５度の角度を増減し、第１側壁部３と四隅折返し壁部７の各々の境界内折目線３a、７aが直線状に折畳めるように構成することで、片方テーパー形、若しくは、片方台形の持帰り梱包箱となるとともに、前記の図２で示す折畳み形状となる。
【実施例３】
【００３６】
さらに、本発明の持帰り梱包箱の物品Bの取出す手順と、食品の調理用容器及び、箱を開口と係留固定することで、皿又は深皿の形状を構成する持帰り梱包箱のそれぞれの使用について説明する。
【００３７】
まず、本発明の持帰り梱包箱の内部に食品を収納したまま調理することができ、さらに、図９で示すように、物品Bの梱包完了状態から収納物を取出すには、把手止め穴付き部８を外側に順次開き、打ち合わせた把手部１を引き上げると、図１０で示すように、箱に折癖が残った形状で箱が開くため、物品Bを真上、四方向から容易に取り出せる。または、別の皿に移すことなく、そのまま皿として使用する。
【００３８】
さらに、前述の図１０の状態から、図１１、１２の図で示すように、両方の四隅折返し侵入止め付き壁部６を両端の半天蓋切断面２cで９０度内側に折曲げ、把手掛り切り欠き部１bの両端に引っ掛けながら境界折目線２aから深く折曲げることで、四隅折返しの突出部６bに把手掛り切り欠き１bが係留固定されることで、図１２で示す深皿形状となる。
【００３９】
次に前記した本発明の実施例１、２、３において用いる１枚のシート材Aについて説明する。
本発明に用いる前記１枚のシート材（A）としては、天然材質系のシート、植物系プラスチックのシート、植物系プラスチックの発泡シート、石油系プラスチックのシート、石油系プラスチックの発泡シート、植物系プラスチックと石油系プラスチックを混合したシート、植物系プラスチックと石油系プラスチックを混合した発泡シートのいずれかの１つから選択されたシート材又は前記で選択されたシート材に植物系プラスチックのフイルム、石油系プラスチックのフイルム、植物系プラスチックのフイルムと石油系プラスチックのフイルムを積層したフイルム、植物系プラスチック素材と石油系プラスチック素材を混合したフイルム、のいずれか１つから選択されたフイルムが積層された１枚のシート材（A）である。
【００４０】
前記の天然材質系のシート材としては、紙製の厚口ボール材や薄口段ボール材又は木目板（突板）材又はアルミ材があり、例えば、薄口段ボール材を１枚のシート材Aとして用いる場合には、０.３〜２ｍｍ厚が好ましい。 さらに、耐水性又は耐油性又は耐熱性を強化するには、例えば、薄口段ボール材に耐熱性のポリエチレンテレフタレート（PET）やポリプロピレン（PP）の６〜４０μmを積層して用いることがより好ましい。
【００４１】
前記の植物系プラスチックとしては、生分解性のポリ乳酸樹脂とコハク酸樹脂があり、例えば、ポリ乳酸樹脂シート材又はポリ乳酸樹脂発泡シート材を１枚のシート材Aとして用いる場合には、０.３〜３ｍｍ厚が好ましい。そして、耐油性又は耐熱性を高めるためにポリ乳酸樹脂と石油系プラスチックを混合した樹脂シート材を用いても良い。また、ポリ乳酸樹脂発泡シート材に石油系プラスチックのフイルム材を積層して用いても良い。
【００４２】
前記の石油系プラスチックとしては、ポリエチレンテレフタレート（ＰＥＴ）、ポリエチレンナフタレ?ト（ＰＥＮ）、ポリブチレンテレフタレート（ＰＢＴ）などのポリエステル、ポリエチレン（ＰＥ）、ポリプロピレン（ＰＰ）、ポリスチレン（ＰＳ）などのポリオレフィン、ナイロン?６、ナイロン?６６などのポリアミド（ＰＡ）、ポリカーボネート（ＰＣ）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリビニルアルコール（ＰＶＡ）、エチレン?ビニルアルコール共重合体（ＥＶＯＨ）、ポリエーテルスルフォン（ＰＥＳ）、ポリメチルメタクリレート（ＰＭＭＡ）がある。前述の共重合体の無延伸あるいは、延伸フィルム材又はシート材であり、１枚のシート材Aとする場合は、０.１５〜１ｍｍ厚を用いることが好ましい。
なお、前記１枚のシート材Aの基材に積層する場合の前記石油系プラスチックのフイルム材としては３〜２００μｍ厚が好ましい。
【００４３】
本発明は、１枚のシート材Aとして、前述した各種の材質のシートやフイルムを積層して用いることで、収納物が持つ特性に合致する耐水性や耐油性や耐熱性を補完させることができる。さらに、耐水性及び／又は耐油性及び／又は耐熱性、加えて、電子レンジ調理ができる食品収納箱及び調理用容器、さらに、皿と深皿の機能を持った持帰り梱包箱とすることができる。
【符号の説明】
【００４４】
A    シート材（梱包箱）
B    物品（食品）
１    把手部
２    半天蓋
３    第１側壁部
４    底面部
５    第２側壁部
６    四隅折返し侵入止め付壁部
７    四隅折返し壁部
８    把手止め穴付き部
１a   半天蓋と把手部との境界外折目線
２a   第１側壁部と半天蓋との境界内折目線
３a   底面部と第１側壁部との境界内折目線
５a   底面部と第２側壁部との境界内折目線
６a   第１側壁部と四隅折返し部侵入止め付壁部との境界内折目線
７a   第２側壁部と四隅折返し壁部との境界内折目線
８a   第２側壁部と把手止め穴付き部との境界外折目線
９a   四隅折返し部の等角境界外折目線
１b   把手掛り切り欠き部
２b   把手部切り目
６b   四隅折返し部の突出部
８b   把手止め穴
１c   穴掛り止め部
２c   半天蓋切断面
６c   四隅折返し部の内部侵入止め突出部
８c   把手平置き用切り目
【図１】
2010285198.tif 000003
【図２】
2010285198.tif 000004
【図４】
2010285198.tif 000005
【図５】
2010285198.tif 000006
【図７】
2010285198.tif 000007
【図８】
2010285198.tif 000008
【図９】
2010285198.tif 000009
【図１３】
2010285198.tif 000010
【図１４】
2010285198.tif 000011
【図１５】
2010285198.tif 000012
【図１６】
2010285198.tif 000013
【図１７】
2010285198.tif 000014
【図１８】
2010285198.tif 000015
【図１９】
2010285198.tif 000016
【図２０】
2010285198.tif 000017
【図２１】
2010285198.tif 000018
【図２２】
2010285198.tif 000019
【図２３】
2010285198.tif 000020
【図２４】
2010285198.tif 000021
【図３】
2010285198.tif 000022
【図６】
2010285198.tif 000023
【図１０】
2010285198.tif 000024
【図１１】
2010285198.tif 000025
【図１２】
2010285198.tif 000026